(57)【要約】  【課題】  再生される動画から所望の静止画の抽出を可能とする静止画抽出装置を提供する。  【解決手段】  時系列の複数の静止画からなる動画を再生して、前記複数の静止画から所望の静止画を抽出する静止画抽出装置に、動画の再生中に指定ボタン５ｄが押された場合、指定ボタン５ｄが押された瞬間及びその前後の複数の静止画を縮小して並置した並置画像を作成する並置画像作成部２７と、表示された並置画像から、抽出を所望する静止画の選択を受け付ける手段と、受け付けた静止画を静止画ファイルとして抽出する抽出手段とを静止画抽出装置に備える。【選択図】        図２
2005348362.tif 000002
【特許請求の範囲】
【請求項１】
時系列の複数の静止画よりなる動画を再生して、前記複数の静止画から一の静止画を抽出する静止画抽出装置において、
再生された動画から一の静止画の指定を受け付ける指定受付手段と、
該指定受付手段が指定を受け付けた場合、指定された静止画及び該静止画の前後の複数の静止画を特定する特定手段と、
該特定手段が特定した各静止画夫々を縮小して並置した並置画像を作成する並置画像作成手段と、
該並置画像作成手段が作成した並置画像から抽出する静止画の選択を受け付ける選択受付手段と、
該選択受付手段が受け付けた静止画を抽出する抽出手段と
を備えることを特徴とする静止画抽出装置。
【請求項２】
前記特定手段は、
指定された静止画及び該静止画の前後で一定の時間差を有する複数の静止画を特定するようにしてあることを特徴とする請求項１に記載の静止画抽出装置。
【請求項３】
並置画像作成手段が作成した並置画像から、並置画像として再表示する静止画の選択を受け付ける受付手段を更に備え、
前記特定手段は、
前記受付手段が選択を受け付けた場合、選択された静止画及び該静止画の前後で前記時間差と異なる時間差を有する複数の静止画を特定する手段を有していることを特徴とする請求項２に記載の静止画抽出装置。
【請求項４】
前記時間差を示す情報を受け付ける手段を備えることを特徴とする請求項２又は請求項３に記載の静止画抽出装置。
【請求項５】
前記並置画像を表示する表示部を備えることを特徴とする請求項１乃至請求項４のいずれか一つに記載の静止画抽出装置。
【請求項６】
外部の表示装置を接続することができ、前記並置画像の出力を行う画像出力部を備えることを特徴とする請求項１乃至請求項５のいずれか一つに記載の静止画抽出装置。
【請求項７】
動画を撮像する動画撮像部と、
請求項１乃至請求項６のいずれかに記載された静止画抽出装置と
を備え、
前記動画撮像部が撮像した動画から、前記静止画抽出装置によって静止画を抽出するようにしてあることを特徴とする動画撮像装置。
【請求項８】
少なくとも再生された動画から一の静止画の指定を受け付けるステップと、
前記指定を受け付けた場合、指定された静止画及び該静止画の前後で一定又は異なる時間差を有する複数の静止画を特定するステップと、
特定した各静止画夫々を縮小して並置した並置画像を作成するステップと、
該並置画像から抽出する静止画の選択を受け付ける選択受付ステップと、
該選択受付ステップにより受け付けた静止画を抽出するステップと
を含むことを特徴とする静止画抽出方法。
【発明の詳細な説明】
【技術分野】
【０００１】
本発明は、再生される動画から所望の静止画を抽出する静止画抽出方法、静止画抽出装置、及び該静止画抽出装置を備える動画撮像装置に関する。
【背景技術】
【０００２】
従来の静止画抽出装置を備える動画撮像装置、例えばデジタルビデオカメラ、動画記録再生機能を有するデジタルスチルカメラ等は、記録媒体に記録された動画を再生する記録再生部と、記録再生部が再生する動画を表示する表示部とを備えている。動画は、時系列の複数の静止画からなり、前記複数の静止画が３０フレーム／秒で表示部に表示され、動画として再生される。
【０００３】
動画撮像装置は、再生されて表示部に表示される動画から、所望の静止画を抽出するためのキャプチャボタンを更に備えている。キャプチャボタンが押された場合、キャプチャボタンが押された時に表示部に表示されている一の静止画が特定され、特定された一の静止画が静止画ファイルとして記録媒体に記録される。
【０００４】
このように構成される動画撮像装置によれば、所望の静止画が表示部に表示されている時にキャプチャボタンを押すことにより、所望の静止画を静止画ファイルとして記録媒体に記録することができる。
【特許文献１】特開２００１−２４５２０８号公報
【発明の開示】
【発明が解決しようとする課題】
【０００５】
しかしながら、表示部に表示される動画は、時系列の静止画が１／３０秒＝約０．０３秒毎に順々に表示されるため、装置の使用者が所望の画像を認識して、キャプチャボタンを押した場合であっても、静止画を抽出するタイミングがずれる恐れがあり、必ずしも所望の静止画を抽出することができないという問題があった。例えば、人物を含む動画から所望の静止画を抽出する場合、瞬きをして目を閉じた状態の人物を含む画像が静止画として記録される恐れがある。この場合、再び動画を再生して静止画の抽出を試みる必要がある。
【０００６】
本発明は斯かる事情に鑑みてなされたものであり、一の静止画の指定を受け付ける指定ボタンが押された瞬間及びその前後の複数の静止画を縮小して並置した並置画像を表示し、表示された並置画像から抽出を所望する静止画を選択することができるように構成することにより、指定ボタンを押すタイミングがずれた場合であっても、縮小された複数の静止画から所望の静止画を選択して抽出することができる静止画抽出装置及び該静止画抽出装置を備える動画撮像装置を提供することを目的とする。
【０００７】
また、指定ボタンが押された瞬間の静止画及び該静止画の前後で一定の時間差を有する複数の静止画を縮小して並置した並置画像を表示し、表示された並置画像から、抽出を所望する静止画を選択することができるように構成することにより、時系列の静止画間の変化が乏しい場合であっても、互いに一定の時間差を有している複数の静止画から抽出を所望する静止画を選択することができるため、互いに変化がある複数の静止画から、所望の静止画を選択して抽出することができる静止画抽出装置及び該静止画抽出装置を備える動画撮像装置を提供することを他の目的とする。
【０００８】
更に、指定ボタンが押された瞬間の静止画及び該静止画の前後で一定の時間差を有する複数の静止画を縮小して並置した並置画像を表示し、更に表示された並置画像から選択された静止画の前後で互いに前記時間差より長い又は短い時間差を有する複数の静止画を縮小して並置した並置画像を再表示し、再表示された並置画像から抽出を所望する静止画を選択することができるように構成することにより、段階的に抽出を所望する静止画を特定することができる静止画抽出装置及び該静止画抽出装置を備える動画撮像装置を提供することを他の目的とする。
【０００９】
更にまた、前記時間差を示す情報を受け付ける手段を備えることにより、時系列の静止画間の変化の程度に応じて、並置画像として並置される静止画間の時間差を自由に設定することができ、画像の特徴に応じた静止画の選択及び抽出が可能となる静止画抽出装置及び該静止画抽出装置を備える動画撮像装置を提供することを他の目的とする。
【００１０】
更にまた、並置画像を表示する表示部を備えることにより、抽出を所望する静止画を選択するための並置画像を、静止画抽出装置が備える表示部に表示させることができる静止画抽出装置及び該静止画抽出装置を備える動画撮像装置を提供することを他の目的とする。
【００１１】
更にまた、外部の表示装置を接続することができ、並置画像の出力を行う画像出力部を備えることにより、抽出を所望する静止画を選択するための並置画像を、外部の表示装置に表示させることができる静止画抽出装置及び該静止画抽出装置を備える動画撮像装置を提供することを他の目的とする。
【００１２】
更にまた、一の静止画の指定を受け付け、指定された静止画の前後で一定又は異なる時間差を有する複数の静止画を縮小して並置した並置画像を表示し、表示された並置画像から抽出を所望する静止画の選択を受け付けて抽出することにより、抽出を指定するタイミングがずれた場合であっても、縮小された複数の静止画から所望の静止画を選択して抽出することができる静止画抽出方法を提供することを他の目的とする。
【課題を解決するための手段】
【００１３】
本発明に係る静止画抽出装置は、時系列の複数の静止画よりなる動画を再生して、前記複数の静止画から一の静止画を抽出する静止画抽出装置において、再生された動画から一の静止画の指定を受け付ける指定受付手段と、該指定受付手段が指定を受け付けた場合、指定された静止画及び該静止画の前後の複数の静止画を特定する特定手段と、該特定手段が特定した各静止画夫々を縮小して並置した並置画像を作成する並置画像作成手段と、該並置画像作成手段が作成した並置画像から抽出する静止画の選択を受け付ける選択受付手段と、該選択受付手段が受け付けた静止画を抽出する抽出手段とを備えることを特徴とする。
【００１４】
本発明に係る静止画抽出装置において、前記特定手段は、指定された静止画及び該静止画の前後で一定の時間差を有する複数の静止画を特定するようにしてあることを特徴とする。
【００１５】
本発明に係る静止画抽出装置は、並置画像作成手段が作成した並置画像から、並置画像として再表示する静止画の選択を受け付ける受付手段を更に備え、前記特定手段は、前記受付手段が選択を受け付けた場合、選択された静止画及び該静止画の前後で前記時間差と異なる時間差を有する複数の静止画を特定する手段を有していることを特徴とする。
【００１６】
本発明に係る静止画抽出装置は、前記時間差を示す情報を受け付ける手段を備えることを特徴とする。
【００１７】
本発明に係る静止画抽出装置は、前記並置画像を表示する表示部を備えることを特徴とする。
【００１８】
本発明に係る静止画抽出装置は、外部の表示装置を接続することができ、前記並置画像の出力を行う画像出力部を備えることを特徴とする。
【００１９】
本発明に係る動画撮像装置は、動画を撮像する動画撮像部と、前記静止画抽出装置とを備え、前記動画撮像部が撮像した動画から、前記静止画抽出装置によって静止画を抽出するようにしてあることを特徴とする。
【００２０】
本発明に係る静止画抽出方法は、少なくとも再生された動画から一の静止画の指定を受け付けるステップと、前記指定を受け付けた場合、指定された静止画及び該静止画の前後で一定又は異なる時間差を有する複数の静止画を特定するステップと、特定した各静止画夫々を縮小して並置した並置画像を作成するステップと、該並置画像から抽出する静止画の選択を受け付ける選択受付ステップと、該選択受付ステップにより受け付けた静止画を抽出するステップとを含むことを特徴とする。
【００２１】
本発明にあっては、指定受付手段が指定を受け付けた時に再生されている動画を構成する静止画を一の静止画として受け付ける。そして、指定された一の静止画の前後の複数の静止画を縮小して並置した並置画像を作成し、作成された並置画像から、抽出を所望する静止画の選択を受け付ける。従って、指定受付手段に指定を与えるタイミングがずれた場合であっても、指定された静止画の前後の複数の静止画の中から、所望の静止画を選択して抽出することができる。
【００２２】
本発明にあっては、指定受付手段が指定を受け付けた時に再生されている動画を構成する静止画を一の静止画として受け付ける。そして、指定された一の静止画の前後で互いに時系列上の一定の時間差を有する複数の静止画を縮小して並置した並置画像を作成し、作成された並置画像から、抽出を所望する静止画の選択を受け付ける。従って、指定受付手段に指定を与えるタイミングがずれた場合であって、時系列の静止画間の変化が乏しいときであっても、指定された静止画の前後で前記時間差を有する複数の静止画の中から、所望の静止画を選択して抽出することができる。
【００２３】
本発明にあっては、指定受付手段が指定を受け付けた時に再生されている動画を構成する静止画を一の静止画として受け付ける。そして、指定された一の静止画の前後で互いに一定の時間差を有する複数の静止画を縮小して並置した並置画像を作成し、作成された並置画像から、所望の静止画の選択を受け付ける。更に、選択された静止画の前後で互いに前記時間差より長い又は短い時間差を有する複数の静止画を縮小して並置した並置画像を作成し、作成された並置画像から、抽出を所望する静止画の選択を受け付ける。従って、指定受付手段に指定を与えるタイミングがずれた場合であっても、段階的に長く又は短くなる時間差を有する複数の静止画の中から、所望の静止画を選択して抽出することができる。
【００２４】
本発明にあっては、並置画像として並置される複数の静止画間の時間差を示す情報を受け付けることにより、動画の特徴に応じた適切な時間差を有する複数の静止画の中から、所望の静止画を選択して抽出することができる。例えば、時系列の静止画間の変化が乏しい場合、時間差を長く設定することにより、互いに変化のある複数の静止画の中から所望の静止画を選択して抽出することができる。
【００２５】
本発明にあっては、静止画抽出装置が備える表示部に並置画像を表示することができる。
【００２６】
本発明にあっては、外付けされる表示装置に、並置画像を出力して表示することができる。
【００２７】
本発明にあっては、指定を受け付けた時に再生されている動画を構成する静止画を一の静止画として受け付ける。そして、指定された一の静止画の前後で一定又は異なる時間差を有する複数の静止画を縮小して並置した並置画像を作成し、作成された並置画像から、抽出を所望する静止画の選択を受け付ける。従って、一の静止画を抽出する指定のタイミングがずれた場合であっても、指定された静止画の前後の複数の静止画から、所望の静止画を選択して抽出することができる。
【発明の効果】
【００２８】
本発明に係る静止画抽出装置及び動画撮像装置にあっては、一の静止画を指定する指定ボタンを押すタイミングがずれた場合であっても、指定された一の静止画の前後の複数の静止画から所望の静止画を抽出することができる。
【００２９】
本発明に係る静止画抽出装置及び動画撮像装置にあっては、一の静止画を指定する指定ボタンを押すタイミングがずれた場合であって、静止画間の変化が乏しいときであっても、指定された一の静止画の前後で一定の時間差を有する複数の静止画から所望の静止画を抽出することができる。
【００３０】
本発明に係る静止画抽出装置及び動画撮像装置にあっては、一の静止画を指定する指定ボタンを押すタイミングがずれた場合であっても、指定又は選択された一の静止画の前後で、段階的に長く又は短くなる時間差を有する複数の静止画から所望の静止画を抽出することができる。
【００３１】
本発明に係る静止画抽出装置及び動画撮像装置にあっては、動画の特徴に応じて、並置画像として並置される複数の静止画間の時間差を指定することができ、所望の静止画を効率良く抽出することができる。
【００３２】
本発明に係る静止画抽出装置及び動画撮像装置にあっては、静止画抽出装置が備える表示部に並置画像を表示させることができる。
【００３３】
本発明に係る静止画抽出装置及び動画撮像装置にあっては、外部の表示装置に並置画像を表示させることができる。
【００３４】
本発明に係る静止画抽出方法にあっては、一の静止画を指定するタイミングがずれた場合であっても、指定された一の静止画の前後で一定又は異なる時間差を有する複数の静止画から所望の静止画を抽出することができる。
【発明を実施するための最良の形態】
【００３５】
以下、本発明に係る静止画抽出方法、静止画抽出装置及び該静止画抽出装置を備える動画撮像装置を、その実施の形態を示す図面に基づいて詳述する。
【００３６】
図１は、本発明に係る静止画抽出装置を備える動画撮像装置を模式的に示す略示斜視図である。図中、１０は被写体からの光を集光するレンズであり、レンズ１０は略直方体の筐体１１の一側面に設けられている。筐体１１は、レンズ１０に向かって右側面１１ａにアスペクト比が４／３の表示部４ａを枢支している。右側面１１ａの表示部４ａより上側部分には、メニュー表示ボタン５ａ、動画の再生を開始する再生ボタン５ｂ、再生を停止する停止ボタン５ｃ、再生される動画を構成する時系列の複数の静止画ｎ（ｎ＝０，１，２・・・，ｎend ）の内、再生されて表示部４ａに表示されている一の静止画ｉを指定する指定ボタン５ｄ、十字キー５ｅ、決定ボタン５ｆ、キャンセルボタン５ｇ、静止画抽出ボタン５ｈ、及び電源スイッチ５ｉが設けられている。
【００３７】
図２は、動画撮像装置の構成を示すブロック図である。動画撮像装置は、レンズ１０で集光され結像した像をアナログの撮像信号に変換するアスペクト比が４／３の撮像素子２１を備えており、撮像素子２１は変換した撮像信号を撮像信号処理部２２に出力する。撮像信号処理部２２は、撮像素子２１が変換した撮像信号をデジタルの動画データに変換するＡＤコンバータを有しており、ＡＤ変換した動画データを画像処理部２３に出力する。画像処理部２３は、画像処理用のメモリ２４を備えており、メモリ２４を用いて撮像信号処理部２２でＡＤ変換された動画データにガンマ補正、色補正等の画像処理を行い、画像処理した動画データをビデオコーデック部２５に出力する。ビデオコーデック部２５は、画像処理部２３が画像処理した動画データをＭｏｔｉｏｎＪＰＥＧの圧縮伸張方式で圧縮する機能、及び圧縮した動画データを伸張する機能を有している。ＭｏｔｉｏｎＪＰＥＧによれば、時系列の複数の静止画ｎ夫々は順次ＪＰＥＧの圧縮伸張方式で圧縮され、圧縮された動画は、時系列の複数の静止画ｎとして伸張される。本発明の実施の形態では、ＪＰＥＧの圧縮伸張方式で圧縮されたフレーム画を静止画として説明するが、テレビジョン放送規格の２フィールド画（１フレーム画）を１つの静止画としてもよく、また１フィールド画を１つの静止画としてもよい。
【００３８】
動画撮像装置は、ビデオコーデック部２５で圧縮された動画データを、磁気テープ、半導体メモリ、又はＤＶＤ等の記録媒体３に記録し、記録媒体３に記録された動画データを再生する記録再生部２６を備えている。記録再生部２６により記録及び再生される動画は、表示部４ａ又は画像出力部６に接続された表示装置４ｂに表示されるように構成されている。画像出力部６は、外部の表示装置４ｂが例えばケーブルを介して接続されるＤＶ端子を備えるインタフェースである。
【００３９】
動画撮像装置は、ビデオコーデック部２５が伸張した動画を構成する複数の静止画ｎから特定された複数の静止画Ｎ−２ｄ，Ｎ−ｄ，Ｎ，Ｎ＋ｄ，Ｎ＋２ｄを縮小し、縮小した縮小画像４１〜４５を並置した並置画像を作成する並置画像作成部２７を備えている。ここにおいてｄは、静止画Ｎと静止画Ｎの前後の静止画Ｎ±ｄとの時系列上のフレーム差を示す自然数であり、十字キー５ｅ及び決定ボタン５ｆの操作により設定される。並置画像作成部２７で作成された画像は、表示部４ａ又は表示装置４ｂに表示される。
【００４０】
撮像素子２１、撮像信号処理部２２、画像処理部２３、ビデオコーデック部２５、記録再生部２６、表示部４ａ、画像出力部６、及び並置画像作成部２７は、動画撮像装置が備えるマイクロコンピュータの制御部２０が制御する。メニュー表示ボタン５ａ、再生ボタン５ｂ、停止ボタン５ｃ、指定ボタン５ｄ、十字キー５ｅ、決定ボタン５ｆ、キャンセルボタン５ｇ、静止画抽出ボタン５ｈ、及び電源スイッチ５ｉの操作状態は、制御部２０により検出されるように構成されている。
【００４１】
図３及び図４は、静止画の抽出に係る制御部２０の処理手順を示すフローチャートである。電源スイッチ５ｉがオンになった場合、制御部２０はｄに９を設定する（ステップＳ１）。静止画Ｎと静止画Ｎ＋ｄとの時系列上の時間差ΔＴは、例えば動画のフレームレートを３０フレーム／秒とした場合、ΔＴ＝ｄ／３０＝０．３秒となる。
【００４２】
次いで、制御部２０は、メニュー表示ボタン５ａの操作状態を検出し、メニュー表示ボタン５ａが押されているか否かを判定する（ステップＳ２）。メニュー表示ボタン５ａが押されていると判定した場合（ステップＳ２：ＹＥＳ）、制御部２０は時間差ΔＴ＝ｄ／３０の設定を受け付ける受付メニューを表示する（ステップＳ３）。そして、制御部２０は、十字キー５ｅ及び決定ボタン５ｆの操作状態を検出してΔＴの入力を受け付ける（ステップＳ４）。そしてまた制御部２０は、受け付けたΔＴに動画のフレームレートの３０フレーム／秒を乗じ、乗じて得た値３０ΔＴをｄに設定する（ステップＳ５）。
【００４３】
ステップＳ５の処理を終えた場合、又はステップＳ２においてメニュー表示ボタン５ａが押されていないと判定した場合（ステップＳ２：ＮＯ）、制御部２０は、電源スイッチ５ｉの状態を検出し、電源スイッチ５ｉがオンの状態にあるか否かを判定する（ステップＳ６）。電源スイッチ５ｉがオンの状態にないと判定した場合（ステップＳ６：ＮＯ）、制御部２０は処理を終了する。
【００４４】
電源スイッチ５ｉがオンの状態にあると判定した場合（ステップＳ６：ＹＥＳ）、制御部２０は、再生ボタン５ｂの操作状態を検出し、再生ボタン５ｂが押されているか否かを判定する（ステップＳ７）。再生ボタン５ｂが押されていないと判定した場合（ステップＳ７：ＮＯ）、制御部２０は、処理をステップＳ２に戻す。
【００４５】
再生ボタン５ｂが押されていると判定した場合（ステップＳ７：ＹＥＳ）、動画として記録されている静止画ｎの中から、再生する静止画ｉ、例えば静止画０を設定する（ステップＳ８）。次いで、制御部２０は、静止画ｉを再生して表示部４ａに表示し、合わせて画像出力部６に出力して表示装置４ｂに表示する（ステップＳ９）。具体的には、制御部２０は、静止画ｉを含む動画データを記録媒体３から読み出し、読み出した動画データをビデオコーデック部２５で伸張し、伸張した静止画ｉを表示部４ａ又は表示装置４ｂに表示させる。次いで、制御部２０は、停止ボタン５ｃの操作状態を検出し、停止ボタン５ｃが押されているか否かを判定する（ステップＳ１０）。停止ボタン５ｃが押されていると判定した場合（ステップＳ１０：ＹＥＳ）、制御部２０は処理をステップＳ２に戻す。
【００４６】
停止ボタン５ｃが押されていないと判定した場合（ステップＳ１０：ＮＯ）、制御部２０は、指定ボタン５ｄの操作状態を検出し、指定ボタン５ｄが押されているか否かを判定する（ステップＳ１１）。指定ボタン５ｄが押されていないと判定した場合（ステップＳ１１：ＮＯ）、制御部２０は、再生する静止画ｉの番号ｉを１インクリメントし（ステップＳ１２）、処理をステップＳ９に戻す。
【００４７】
指定ボタン５ｄが押されていると判定した場合（ステップＳ１１：ＹＥＳ）、制御部２０は、縮小画像４３として表示する静止画Ｎの番号Ｎに番号ｉの値を設定する（ステップＳ１３）。次いで、制御部２０は、静止画Ｎ，Ｎ±ｄ，Ｎ±２ｄを含む動画データを記録媒体３から読み出し、静止画Ｎ，Ｎ±ｄ，Ｎ±２ｄの縮小画像４１〜４５を並置画像作成部２７により生成する（ステップＳ１４）。
【００４８】
縮小画像４１〜４５の生成を終えた場合、制御部２０は、図５に示すように静止画Ｎ−２ｄ，Ｎ−ｄ，Ｎ、Ｎ＋ｄ，Ｎ＋２ｄの縮小画像４１〜４５を左側から右側に昇順で並置した並置画像を作成し、作成した並置画像を表示部４ａに表示する（ステップＳ１５）。また、制御部２０は作成した並置画像を画像出力部６に出力して表示装置４ｂに表示する。そして、制御部２０は、縮小画像４１〜４５の選択を受け付けるためのカーソル４０を表示する（ステップＳ１６）。例えば、縮小画像４３の縁を囲む略長方形のカーソル４０を表示する（図５参照）。
【００４９】
次いで制御部２０は、十字キー５ｅの操作状態を検出し、十字キー５ｅが押されているか否かを判定する（ステップＳ１７）。十字キー５ｅが押されていると判定した場合（ステップＳ１７：ＹＥＳ）、制御部２０は十字キー５ｅの操作に応じてカーソル４０を移動させる（ステップＳ１８）。例えば、カーソル４０が縮小画像４３を指定している場合において、十字キー５ｅの右ボタンが押されているとき、縮小画像４３を指定するカーソル４０を移動させ、縮小画像４３の右隣に並置している縮小画像４４にカーソル４０を合わせる。同様に、十字キー５ｅの左ボタンが押されているとき、縮小画像４３の左隣に並置している縮小画像４３を指定するカーソル４０を移動させ、縮小画像４２にカーソル４０を合わせる。
【００５０】
ステップＳ１８の処理を終えた場合、又はステップＳ１７において十字キー５ｅが押されていないと判定した場合（ステップＳ１７：ＮＯ）、制御部２０はｄが１であるか否かを判定する（ステップＳ１９）。ｄが１ではないと判定した場合（ステップＳ１９：ＮＯ）、制御部２０は、決定ボタン５ｆの操作状態を検出し、決定ボタン５ｆが押されているか否かを判定する（ステップＳ２０）。決定ボタン５ｆが押されていると判定した場合（ステップＳ２０：ＹＥＳ）、制御部２０は、カーソル４０で指定されている縮小画像４１〜４５に係る静止画ｋの番号ｋを番号Ｎに設定する（ステップＳ２１）。例えば、縮小画像４１がカーソル４０で指定されている場合、縮小画像４１に係る静止画ｋ＝Ｎ−２ｄの番号ｋ＝Ｎ−２ｄを、番号Ｎに設定する。そして、制御部２０は、ｄを３で除し、除した値ｄ／３を整数に変換した値Ｉｎｔ（ｄ／３）を新たなｄの値として設定する（ステップＳ２２）。整数への変換は、ｄを３で除した値の端数を切り上げることにより行う。ｄにＩｎｔ（ｄ／３）を設定した場合、制御部２０は処理をステップＳ１４に戻す。
【００５１】
ステップＳ１９においてｄが１であると判定した場合（ステップＳ１９：ＹＥＳ）、又はステップＳ２０において決定ボタン５ｆが押されていないと判定した場合（ステップＳ２０：ＮＯ）、制御部２０は、静止画抽出ボタン５ｈの操作状態を検出し、静止画抽出ボタン５ｈが押されているか否かを判定する（ステップＳ２３）。静止画抽出ボタン５ｈが押されていると判定した場合（ステップＳ２３：ＹＥＳ）、制御部２０はカーソル４０で選択されている縮小画像４１〜４５の静止画ｋを抽出し、静止画ファイルとして記録媒体３に記録する（ステップＳ２４）。
【００５２】
ステップＳ２４の処理を終えた場合、又はステップＳ２３において静止画抽出ボタン５ｈが押されていないと判定した場合（ステップＳ２３：ＮＯ）、制御部２０は、キャンセルボタン５ｇの操作状態を検出し、キャンセルボタン５ｇが押されているか否かを判定する（ステップＳ２５）。キャンセルボタン５ｇが押されていると判定した場合（ステップＳ２５：ＹＥＳ）、制御部２０は、ｄにステップＳ１又はステップＳ５で初期設定されたｄを設定し（ステップＳ２６）、処理をステップＳ９に戻す。キャンセルボタン５ｇが押されていないと判定した場合（ステップＳ２５：ＮＯ）、処理をステップＳ１６に戻す。
【００５３】
図５は、本発明に係る並置画像作成部２７により作成された並置画像の模式図である。並置画像の上側には、静止画Ｎ，Ｎ±ｄ，Ｎ±２ｄ夫々の縮小画像４１〜４５が左側から右側に昇順に並置されている。縮小画像４１〜４５の下側には、カーソル４０で選択されている縮小画像４３の静止画ｋ＝Ｎが拡大されて表示されている。
【００５４】
図６は、並置画像として表示される複数の静止画間の時間差を段階的に短くして並置画像を再表示した場合の縮小画像の模式図である。図６（ａ）は、動画の再生中に指定ボタン５ｄが押された場合に、表示される縮小画像４１〜４５である。縮小画像４１〜４５間の時間差はｄ／３０＝９／３０＝０．３秒であり、縮小画像４２がカーソル４０で選択されている。図６（ｂ）は、図６（ａ）の状態で決定ボタン５ｆが押された場合に再表示される縮小画像４６〜５０である。縮小画像４６〜５０間の時間差は０．３／３＝０．１秒であり、縮小画像４８が選択されている。図６（ｃ）は、更に図６（ｂ）の状態で決定ボタン５ｆが押された場合に再表示される縮小画像５１〜５５である。縮小画像間の時間差は０．１／３＝約０．０３秒である。
【００５５】
本発明に係る動画撮像装置にあっては、動画として再生され、順々に表示部４ａに表示される静止画ｉを指定するタイミングがずれた場合であっても、図６（ａ）に示すように、指定ボタン５ｄが押された時に再生されている静止画ｉ＝Ｎを含む複数の静止画Ｎ，Ｎ±ｄ，Ｎ±２ｄの縮小画像４１〜４５が表示部４ａに表示されるため、所望の静止画ｋを選択して、選択した静止画ｋを静止画ファイルとして抽出することができる。
【００５６】
また、図６（ａ）に示すように、縮小画像４１〜４５間の時間差は、０．０３秒に比べ０．３秒と長いため、時系列の連続する静止画ｎの変化が乏しい場合であっても、画像の変化が比較的大きい縮小画像４１〜４５の中から所望の静止画ｋを選択して、静止画ファイルとして抽出することができる。
【００５７】
更に、図６（ｂ）、（ｃ）に示すように、縮小画像４１〜４５間の時間差をより短くした縮小画像４６〜５５を表示させることにより、連続する時系列の静止画ｎの変化が微小な場合であっても、所望の静止画ｋを選択して、静止画ファイルとして抽出することができる。
【００５８】
更にまた、再生する動画及び並置画像を、画像出力部６に接続する表示装置４ｂに表示させることができる。
【００５９】
なお、本実施の形態においては、並置画像として表示される複数の静止画像間の時間差を段階的に短くしているが、並置画像として表示される静止画間の時間差を段階的に長くするように構成しても良い。例えば、ある静止画の前後で特定の時間差を有する複数の静止画を縮小して表示したが、時間差が短く静止画間の画像の変化が乏しいような場合、静止画間の時間差をより長くして並置画像を再表示することにより適当な画像の変化を有する静止画を縮小して表示させることができ、所望の静止画を特定することができる。
【００６０】
また、実施の形態で示した静止画抽出装置は、動画を撮像する動画撮像装置に適用されているが、動画をＤＶＤに記録するＤＶＤレコーダ、又は携帯電話その他の動画記録装置に適用しても良い。
【００６１】
更に、並置画像として表示される複数の静止画間のフレーム差の設定を、時間差ΔＴ＝ｄ／３０によって受け付けているが、ｄを直接受け付けるように構成しても良い。また、具体的な時間差の指定を受け付けず、時間差の長短のいずれかを選択できるように構成しても良い。
【００６２】
更にまた、指定された静止画を含む縮小画像を５枚並置した並置画像を生成しているが、３枚以上の縮小画像を表示部に表示しても良い。
【００６３】
更にまた、ｄを、関数Ｉｎｔ（ｄ／３）によって段階的に小さくしているが、異なる比率、例えばＩｎｔ（ｄ／５）、Ｉｎｔ（ｄ／２）、又はＩｎｔ（３ｄ）等でｄを段階的に変化させても良い。
【図面の簡単な説明】
【００６４】
【図１】本発明に係る静止画抽出装置を備える動画撮像装置を模式的に示す略示斜視図である。
【図２】動画撮像装置の構成を示すブロック図である。
【図３】静止画の抽出に係る制御部の処理手順を示すフローチャートである。
【図４】静止画の抽出に係る制御部の処理手順を示すフローチャートである。
【図５】本発明に係る並置画像作成部により作成された並置画像の模式図である
【図６】並置画像として表示される複数の静止画間の時間差を段階的に短くして並置画像を再表示した場合の縮小画像の模式図である。
【符号の説明】
【００６５】
３  記録媒体
４ａ  表示部
４ｂ  表示装置
５ａ  メニュー表示ボタン
５ｂ  再生ボタン
５ｃ  停止ボタン
５ｄ  指定ボタン
５ｅ  十字キー
５ｆ  決定ボタン
５ｇ  キャンセルボタン
５ｈ  静止画抽出ボタン
５ｉ  電源スイッチ
６  画像出力部
１０  レンズ
１１  筐体
２０  制御部
２１  撮像素子
２２  撮像信号処理部
２３  画像処理部
２４  メモリ
２５  ビデオコーデック部
２６  記録再生部
２７  並置画像作成部
４０  カーソル
【図１】
2005348362.tif 000003
【図２】
2005348362.tif 000004
【図３】
2005348362.tif 000005
【図４】
2005348362.tif 000006
【図５】
2005348362.tif 000007
【図６】
2005348362.tif 000008